(57)【要約】  複数の基地局が、マスタ／スレーブプロトコルを使用して互いに通信し、負荷均衡化情報を交換する移動通信システムを説明する。負荷均衡化情報は、近傍基地局及び／又は近傍セルの間の移動デバイスのハンドオーバを制御するのに使用され得る。マスタ基地局はスレーブ基地局に、規定の時刻に、若しくは規定の周期で、又は特定のイベントに応答して、負荷状態報告を提供することを要求する。
2011511486.tif 000002
【特許請求の範囲】
【請求項１】
ＥＵＴＲＡＮ基地局によって実行される方法であって、
資源状態情報の要求を生成し、
前記生成された要求を近傍ＥＵＴＲＡＮ基地局に送信し、
前記要求された資源状態情報に応答して前記近傍ＥＵＴＲＡＮ基地局から１つ又は複数の資源状態更新メッセージを受信し、及び
前記受信した１つ又は複数の資源状態更新メッセージに従って、負荷均衡化オペレーションを実行する、
ことを含む、方法。
【請求項２】
前記要求側基地局と関連する資源に関する負荷均衡化測定値を取得することを含み、
前記実行するステップは、前記取得した負荷均衡化測定値及び前記受信した１つ又は複数の資源状態更新メッセージに従って、前記負荷均衡化オペレーションを実行する、請求項１に記載の方法。
【請求項３】
前記取得するステップは、測定をすることによって前記測定値を取得する、請求項２に記載の方法。
【請求項４】
前記１つ又は複数の資源状態更新メッセージは、アップリンク上のリアルタイムトラフィック及び／又は非リアルタイムトラフィックに関する物理資源ブロック使用量を指定するデータを含む、請求項１乃至３のいずれか一項に記載の方法。
【請求項５】
前記１つ又は複数の資源状態更新メッセージは、ダウンリンク上のリアルタイムトラフィック及び／又は非リアルタイムトラフィックに関する物理資源ブロック使用量を指定するデータを含む、請求項１乃至３のいずれか一項に記載の方法。
【請求項６】
前記生成された要求は、規定の時間で前記資源状態情報を要求するためのものである、請求項１乃至５のいずれか一項に記載の方法。
【請求項７】
前記生成された要求は、規定の周期で前記資源状態情報を要求するためのものである、請求項１乃至５のいずれか一項に記載の方法。
【請求項８】
前記近傍基地局がさらなる状態報告を送信するのを停止させるために、報告時間フィールドが規定の値に設定されたさらなる要求を生成すると共に送信することをさらに含む、請求項７に記載の方法。
【請求項９】
前記生成された要求は、規定のイベントにおいて前記資源状態情報を要求するためのものである、請求項１乃至５のいずれか一項に記載の方法。
【請求項１０】
前記生成された要求は、前記近傍基地局による資源の使用量が規定の閾値を超過すると資源状態報告を送信することを、前記近傍基地局に要求するためのものである、請求項９に記載の方法。
【請求項１１】
前記生成された要求は、アップリンクの干渉レベルが規定の閾値を超過すると資源状態報告を送信することを、前記近傍基地局に要求するためのものである、請求項９に記載の方法。
【請求項１２】
前記生成された要求は、複数の規定のイベントのうちで任意のものにおいて、前記資源状態情報を要求するためのものである、請求項９乃至１１のいずれか一項に記載の方法。
【請求項１３】
前記生成されたメッセージは、前記要求された情報を作り出すための測定間隔を指定する平均化時間を指定するデータを含む、請求項１乃至１２のいずれか一項に記載の方法。
【請求項１４】
前記生成された要求は、前記近傍基地局と関連する前記セルのサブセットを規定し、前記要求された情報が前記セブセット内の前記セルに関するものであり、前記サブセット外の前記セルに関するものではないことを示すデータを含む、請求項１乃至１３のいずれか一項に記載の方法。
【請求項１５】
前記基地局は、前記１つ又は複数の受信した資源状態更新メッセージに従って、別のセル又は基地局への、１つ又は複数の関連する移動通信デバイスのハンドオーバを制御するよう動作可能である、請求項１乃至１４のいずれか一項に記載の方法。
【請求項１６】
前記基地局は、前記１つ又は複数の受信した資源状態更新メッセージに従って、ハンドオーバパラメータ及びセル再選択パラメータを動的に制御するように動作可能である、請求項１乃至１５のいずれか一項に記載の方法。
【請求項１７】
前記セル再選択パラメータは、周波数間の再選択の優先度及び／又はレイヤの固有オフセットを含む、請求項１６に記載の方法。
【請求項１８】
前記ハンドオーバパラメータは、ヒステリシス及び／又はトリガする時間を含む、請求項１６又は請求項１７に記載の方法。
【請求項１９】
ＥＵＴＲＡＮ基地局によって実行される方法であって、
近傍ＥＵＴＲＡＮ基地局から資源状態情報の要求を受信し、
前記基地局と関連する資源に関する１つ又は複数の負荷均衡化測定値を取得し、
前記１つ又は複数の負荷均衡化測定値を含む、１つ又は複数の資源状態更新メッセージを生成し、及び
前記生成された１つ又は複数の資源状態更新メッセージを前記近傍ＥＵＴＲＡＮ基地局に送信する、
ことを含む、方法。
【請求項２０】
前記生成するステップは、前記受信した要求において、前記近傍基地局によって規定された要件に従って、前記１つ又は複数の資源状態更新メッセージを生成すると共に送信する、請求項１９に記載の方法。
【請求項２１】
前記取得するステップは、測定をすることによって前記測定値を取得する、請求項１９又は請求項２０に記載の方法。
【請求項２２】
前記生成された１つ又は複数の資源状態更新メッセージは、アップリンク上のリアルタイムトラフィック及び／又は非リアルタイムトラフィックに関する物理資源ブロック使用量を指定するデータを含む、請求項１９乃至２１のいずれか一項に記載の方法。
【請求項２３】
前記生成された１つ又は複数の資源状態更新メッセージは、ダウンリンク上のリアルタイムトラフィック及び／又は非リアルタイムトラフィックに関する物理資源ブロック使用量を指定するデータを含む、請求項１９乃至２１のいずれか一項に記載の方法。
【請求項２４】
前記受信された要求は、前記更新メッセージを送信すべき時刻を規定し、前記送信するステップは、該規定の時間で前記更新メッセージを送信する、請求項１９乃至２３のいずれか一項に記載の方法。
【請求項２５】
前記受信された要求は、前記更新メッセージを送信すべき周期を規定し、前記送信するステップは、該規定の周期で前記更新メッセージを送信する、請求項１９乃至２３のいずれか一項に記載の方法。
【請求項２６】
同じ基地局から、報告時間フィールドが規定の値に設定されたさらなる要求を受信し、及び
前記要求に応答して前記状態更新メッセージの周期的な送信を停止するステップ、
をさらに含む、請求項２５に記載の方法。
【請求項２７】
前記受信された要求は、規定のイベントにおいて前記資源状態情報を要求するためのものである、請求項１９乃至２３のいずれか一項に記載の方法。
【請求項２８】
前記受信された要求は、前記基地局による資源の使用量が規定の閾値を超過すると資源状態報告を送信することを、前記基地局に要求するためのものである、請求項２７に記載の方法。
【請求項２９】
前記受信された要求は、アップリンクの干渉レベルが規定の閾値を超過すると資源状態報告を送信することを、前記基地局に要求するためのものである、請求項２７に記載の方法。
【請求項３０】
前記受信された要求は、複数の規定のイベントのうちで任意のものにおいて前記資源状態情報を要求するためのものである、請求項２７乃至２９のいずれか一項に記載の方法。
【請求項３１】
前記取得するステップは、前記受信された要求によって規定された測定間隔にわたって前記負荷均衡化情報を取得する、請求項１９乃至３０のいずれか一項に記載の方法。
【請求項３２】
前記受信された要求は、前記基地局と関連する前記セルのサブセットを規定するデータを包み、前記方法は、前記セブセット内の前記セルに関するものであり、前記サブセット外の前記セルに関するものではない負荷均衡化情報を取得するステップを含む、請求項１９乃至３１のいずれか一項に記載の方法。
【請求項３３】
前記基地局は、前記１つ又は複数の受信した資源状態更新メッセージに従って、別のセル又は基地局への、１つ又は複数の関連する移動通信デバイスのハンドオーバを制御するように動作可能である、請求項１９乃至３２のいずれか一項に記載の方法。
【請求項３４】
前記要求及び応答は、Ｘ２インターフェースを通じて前記近傍基地局の間で通信される、請求項１乃至３３のいずれか一項に記載の方法。
【請求項３５】
ＥＵＴＲＡＮ基地局であって、
資源状態情報の要求を生成する手段と、
前記生成された要求を近傍ＥＵＴＲＡＮ基地局に送信する手段と、
前記要求された資源状態情報に応答して前記近傍ＥＵＴＲＡＮ基地局から１つ又は複数の資源状態更新メッセージを受信する手段と、
前記受信した１つ又は複数の資源状態更新メッセージに従って、負荷均衡化オペレーションを実行する手段と、
を備える、ＥＵＴＲＡＮ基地局。
【請求項３６】
ＥＵＴＲＡＮ基地局であって、
資源状態情報の要求を生成するように動作可能である要求生成装置と、
前記生成された要求を近傍ＥＵＴＲＡＮ基地局に送信するように動作可能であると共に、前記要求された資源状態情報に応答して前記近傍ＥＵＴＲＡＮ基地局から１つ又は複数の資源状態更新メッセージを受信するように動作可能であるトランシーバと、
前記受信した１つ又は複数の資源状態更新メッセージに従って、負荷均衡化オペレーションを実行するように動作可能であるコントローラと、
を備える、ＥＵＴＲＡＮ基地局。
【請求項３７】
ＥＵＴＲＡＮ基地局であって、
近傍ＥＵＴＲＡＮ基地局から資源状態情報の要求を受信する手段と、
前記基地局と関連する資源に関する１つ又は複数の負荷均衡化測定値を取得する手段と、
前記１つ又は複数の負荷均衡化測定値を含む、１つ又は複数の資源状態更新メッセージを生成する手段と、
前記生成された１つ又は複数の資源状態更新メッセージを前記近傍ＥＵＴＲＡＮ基地局に送信する手段と、
を備える、ＥＵＴＲＡＮ基地局。
【請求項３８】
ＥＵＴＲＡＮ基地局であって、
近傍ＥＵＴＲＡＮ基地局から資源状態情報の要求を受信するように動作可能であるトランシーバと、
前記基地局と関連する資源の１つ又は複数の負荷均衡化測定値を取得するように動作可能であるコントローラと、
前記１つ又は複数の負荷均衡化測定値を含む、１つ又は複数の資源状態更新メッセージを生成するように動作可能である資源状態更新メッセージ生成装置と、
を備え、前記トランシーバは、前記生成された１つ又は複数の資源状態更新メッセージを前記近傍ＥＵＴＲＡＮ基地局に送信するように動作可能である、ＥＵＴＲＡＮ基地局。
【請求項３９】
プログラマブルコンピュータデバイスに請求項１乃至３４のいずれか一項に記載の方法を実行させるためのコンピュータ実施可能命令を含む、コンピュータ実施可能命令製品。
【発明の詳細な説明】
【技術分野】
【０００１】
本発明は、移動通信ネットワークに関し、限定はしないが、特に３ＧＰＰ標準規格、又はその等価規格若しくは派生規格に従って動作するネットワークに関する。本発明は、限定はしないが、特にＵＴＲＡＮ（発展型ユニバーサル無線アクセスネットワーク（Ｅ−ＵＴＲＡＮ）という）のロングタームエボリューション（ＬＴＥ）に関する。
【０００２】
［関連出願］
本出願は、２００８年２月４日に出願の英国特許出願第０８０２０２３．２号明細書に基づいており、その特許出願からの優先権の利益を主張し、その特許出願の開示は参照によりその全体が本明細書に援用される。
【背景技術】
【０００３】
携帯電話網では、利用可能な複数の基地局（Ｅ−ＵＴＲＡＮではｅＮＢと称す）の間で、乏しい利用可能な無線資源及び処理負荷を共有するために、負荷均衡化を必要とする。この負荷均衡化を行うため、負荷均衡化に関する決定がなされ得るように、基地局は負荷測定を行うと共に近傍基地局と共有する。２００８年１月１４日〜１８日にセビリアで行われたＲＡＮ１＃５１Ｂの会議では、負荷均衡化メカニズムが議論された。特に、ＲＡＮ１は、効果的な負荷均衡化をサポートするのに必要な物理レイヤの測定を議論し、アップリンク及びダウンリンクにおける物理資源ブロック使用量の測定が、負荷均衡化に関連することで合意した。ＲＡＮ１は、この目的のために以下の４つの異なる測定を提案した。
１）ＵＬ上のＧＢＲ（リアルタイムトラフィック）に関する物理資源ブロック使用量
２）ＵＬ上の非リアルトラフィックに関する物理資源ブロック使用量
３）ＤＬ上のＧＢＲ（リアルタイム）トラフィックに関する物理資源ブロック使用量
４）ＤＬ上の非リアルタイムトラフィックに関する物理資源ブロック使用量
【０００４】
これら全ての測定は、一定の時間間隔にわたって、同じ方向で利用可能な物理資源ブロック（ＰＲＢ）を通じた或るトラフィック種別に対する、使用されたＰＲＢの割合（百分率）として規定され、セル毎に測定される。いかなる非計画的伝送及び再伝送も、使用されたとしてカウントされる。
【０００５】
さらに、ＲＡＮ１は、数秒〜数分程度、又はビジーな時間のような予期されたトラフィック変動に依存するより低い割合でも、この制御を周期的に行えば十分であると考える。
【０００６】
しかしながら、負荷均衡化のための、この基地局間情報のシグナリングの詳細はまだ規定されていない。
【０００７】
当業者の理解の効率化のために、３Ｇシステムの背景の詳細を説明するが、ハンドオーバ手順の原理は他のシステム、例えば、他のＣＤＭＡ又は無線システムにも適用される。これらのシステムでは、移動体デバイス又はユーザ機器（ＵＥ）が、システムの対応する構成要素が要求に応じて変更されたいくつかの他のデバイス（ｅＮＢに対応する）のうちの１つと通信する。
【発明の概要】
【発明が解決しようとする課題】
【０００８】
本発明の実施の形態は、これら基地局間測定をシグナリングするための効率的な技法を提供することを目的とする。
【課題を解決するための手段】
【０００９】
例示的な一態様によれば、本発明は、ＥＵＴＲＡＮ基地局によって実行される方法であって、近傍ＥＵＴＲＡＮ基地局に負荷均衡化測定値の要求を送信し、要求された資源状態情報に応答して近傍ＥＵＴＲＡＮ基地局から１つ又は複数の資源状態更新メッセージを受信し、及び、受信した１つ又は複数の資源状態メッセージに従って、負荷均衡化オペレーションを実行する、ことを含む、方法を提供する。
【００１０】
基地局は自身のために負荷均衡化測定を使用することもでき、これらを、負荷均衡化オペレーションを実行するためにも使用することができる。これら測定は基地局によって直接的になされ得る。
【００１１】
１つ又は複数の状態更新メッセージは、アップリンク上又はダウンリンク上のリアルタイムトラフィック及び／又は非リアルタイムトラフィックに関する物理資源ブロック使用量を指定するデータを含むことができる。
【００１２】
要求側基地局は、他の基地局に指定時間に、周期的に、又は１つ又は複数の特定イベントに応答して状態更新を提供するように要求することができる。イベントとは、例えば、近傍基地局による資源の使用量が規定の閾値を超過した場合、及び／又はアップリンクの干渉レベルが規定の閾値を超過した場合とすることができる。
【００１３】
上記要求は、負荷測定が取得される時間周期を規定することが好ましい。さらに、近傍基地局は複数の関連するセルを有し、上記要求は、測定が要求されるこれらセルのサブセットを識別することができる。
【００１４】
基地局は、１つ又は複数の受信した資源状態更新メッセージに従って、別のセル又は基地局への１つ又は複数の関連する移動通信デバイスのハンドオーバを制御することができる。これは、例えば、１つ又は複数の受信した資源状態更新メッセージに従って、ハンドオーバパラメータ及びセル再選択パラメータを動的に制御することによって、行うことができる。
【００１５】
本発明のこの例示的な態様はまた、ＥＵＴＲＡＮ基地局によって実行される方法を提供し、該方法は、近傍ＥＵＴＲＡＮ基地局から資源状態情報の要求を受信し、１つ又は複数の負荷均衡化測定値を含む、１つ又は複数の資源状態更新メッセージを生成し、及び生成された１つ又は複数の資源状態更新メッセージを要求側基地局に送信する、ことを含む。
【００１６】
本発明はまた、上記方法を実行するための対応する基地局を提供する。
【００１７】
本発明は、開示される全ての方法に関して、対応する機器において実行するための対応するコンピュータプログラム又はコンピュータプログラム製品、機器自体（ユーザ機器、ノード又はその構成要素）、及び機器を更新する方法を提供する。
【００１８】
次に、添付図面を参照して、本発明の例示的な一実施形態を例として説明する。
【図面の簡単な説明】
【００１９】
【図１】実施形態が適用可能なタイプの移動通信システムを概略的に示す図である。
【図２】図１に示されたシステムの一部を形成する基地局を概略的に示す図である。
【図３ａ】２つの基地局間で負荷均衡化測定をシグナリングするためのシグナリング方法を概略的に示す図である。
【図３ｂ】２つの基地局間で負荷均衡化測定値をシグナリングするための別のシグナリング方法を概略的に示す図である。
【図３ｃ】２つの基地局間でシグナリングの失敗が起こった状況を概略的に示す図である。
【図３ｄ】終了が２つの基地局間でシグナリングされ得る一方法を概略的に示す図である。
【図４】基地局内部にある負荷情報を使用して、ハンドオーバパラメータ及びセル選択パラメータを動的に制御する方法を概略的に示す図である。
【図５】簡易な資源状態更新手順を概略的に示す図である。
【図６】マスタスレーブベースの資源状態更新手順を概略的に示す図である。
【図７ａ】資源状態更新手順（成功した開始）のような一般的な測定を概略的に示す図である。
【図７ｂ】資源状態更新手順（失敗した開始）のような一般的な測定を概略的に示す図である。
【図７ｃ】資源状態更新手順（終了）のような一般的な測定を概略的に示す図である。
【図８】負荷情報手順を概略的に示す図である。
【図９】ｅＮＢ内部にある負荷情報が、ハンドオーバパラメータ及びセル（再）選択パラメータを動的に制御するのに利用され得るメカニズムを示す図である。
【発明を実施するための形態】
【００２０】
概説
図１は、移動（セルラ）通信システム１を概略的に示している。該システムにおいて、移動電話（ＭＴ）３−０、３−１及び３−２のユーザは、基地局５−１又は５−２、及び電話ネットワーク７のうちの１つを介して、他のユーザ（図示せず）と通信することができる。移動電話３と基地局５との間の無線リンクのために、複数のアップリンク通信資源及びダウンリンク通信資源（サブキャリア、タイムスロット等）が利用可能である。この例示的な実施形態において、移動電話３に送信すべきデータの量に応じて、基地局５は、各移動電話３にダウンリンク資源を割り当てる。同様に、移動電話３が基地局５に送信しなければならないデータの量及び種別に応じて、基地局５は、各移動電話３にアップリンク資源を割り当てる。
【００２１】
基地局５の各々は、コア電話ネットワーク７とインターフェースをとるための「Ｓ１」インターフェース、及び近傍基地局５とインターフェースをとるための「Ｘ２」インターフェースを備える。基地局５によって作成された負荷均衡化測定値は、Ｘ２インターフェースを通じて近傍基地局５に送信される。この例示的な実施形態において、マスタ／スレーブシグナリングメカニズムを使用する基地局５の間で測定報告が送信される。マスタ／スレーブシグナリングメカニズムにおいて、マスタ基地局５−１は、規定の形式及び周期等での、スレーブ基地局５−２からの測定報告を要求し、スレーブ基地局５−２は要求された方法で応答する。各基地局５は、近傍基地局５から負荷均衡化情報を収集する場合にはマスタとして役割を果たし、自身の負荷均衡化情報を近傍基地局５に提供する場合にはスレーブとして役割を果たす。このようにして、各基地局５は、所望する周期及び所望する形式で、所望する負荷均衡化情報を取得することができる。これは、異なる型式の基地局５間の相互運用性を容易にし、且つＸ２インターフェースを通じた不必要なトラフィックを顕著に低減させる。
【００２２】
基地局
図２は、この例示的な実施形態において用いられる基地局５の各々の主な構成要素を示すブロック図である。図に示されるように、各基地局５はトランシーバ回路２１を備えており、該トランシーバ回路は、ｉ）１つ又は複数のアンテナ２３を介して移動電話３に対し信号を送受信するように、ｉｉ）Ｓ１インターフェース２４を介して電話ネットワーク７に対し信号を送受信するように、ｉｉｉ）Ｘ２インターフェース２５を通じて他の基地局５に対し信号を送受信するように動作することができる。コントローラ２７は、メモリ２９に格納されるソフトウエアに従って、トランシーバ回路２１の動作を制御する。そのソフトウエアは、特に、オペレーティングシステム３１、負荷均衡化モジュール３２、ハンドオーバモジュール３３、及び資源測定モジュール３４を備える。負荷均衡化モジュール３２は、他の基地局５に、該他の基地局５における負荷に関する情報を要求する状態要求を発行するための資源状態要求モジュール３５と、要求される場合に、他の基地局５に負荷情報を提供するための資源状態更新モジュール３６とを有する。ハンドオーバモジュール３３は、基地局５への又は基地局５からの移動電話３のハンドオーバを制御するための役割を担っている。資源測定モジュール３４は、上記の負荷情報（資源状態更新モジュール３６によって他の基地局５に送信される）、すなわち、
１）ＵＬ上のＧＢＲ（リアルタイムトラフィック）に関する物理資源ブロック使用量
２）ＵＬ上の非リアルトラフィックに関する物理資源ブロック使用量
３）ＤＬ上のＧＢＲ（リアルタイム）トラフィックに関する物理資源ブロック使用量、及び
４）ＤＬ上の非リアルタイムトラフィックに関する物理資源ブロック使用量
を取得する役割を担う。
【００２３】
上記の説明では、理解するのを容易にするために、基地局５は、（負荷均衡化モジュール、ハンドオーバモジュール、資源測定モジュール等のような）複数の個別のモジュールを有するとして説明される。このようにして、これらのモジュールは特定の応用形態に関して、たとえば、本発明を実施するように既存のシステムが変更された場合に与えられる場合があるが、他の応用形態、たとえば、始めから本発明の特徴に留意して設計されるシステムでは、これらのモジュールは、全体のオペレーティングシステム又はコードに組み込まれる場合があるので、これらのモジュールは、個別のエンティティとして区別されない場合がある。
【００２４】
負荷均衡化−シグナリングメカニズム
この例示的な実施形態では、基地局５は、自身の近傍基地局によって要求される場合、選択的に負荷情報を提供する。基地局５−１は、基地局５−１の所望する形式で（要求側基地局５−１が実施する無線資源管理（ＲＲＭ）アルゴリズムに基づいて）、近傍基地局５−２に負荷情報を送信するよう要求できる。例えば、要求側基地局５−１は、資源状態要求（資源状態要求モジュール３５によって生成される）において、１回のみ負荷情報が報告されることを必要とするのか、又は周期的に負荷情報が報告されることを必要とするのか、又は１つ若しくは複数のイベントのうちの任意のものが発生する度に報告されるイベント駆動式で負荷情報が報告されることを必要とするのかを、近傍基地局５−２に示すことができる。要求を受信する基地局５−２は、その後、資源状態更新（資源状態更新モジュール３６によって生成される）において、適切な時間／イベントで応答する。このように、要求側基地局５−１は「マスタ」としての役割を果たしており、応答側基地局５−２は「スレーブ」としての役割を果たしている。使用されるスケジューリングを図３ａに示す。
【００２５】
資源状態要求メッセージの詳細
マスタ基地局５−１は、スレーブ基地局５−２に、その物理資源ブロック使用量の情報を報告することを該スレーブ基地局５−２に要求する資源状態要求を送信する。資源状態要求は報告特徴情報要素（ＩＥ）を備え、報告特徴情報要素はこの報告が１回行われるべきか、又は周期的に行われるべきか、又はイベント駆動で行われるべきかを指定する。イベント駆動の場合、イベントも指定する。報告特徴ＩＥが設定されていない場合、この実施形態では、スレーブ基地局５−２が１回のみ資源状態更新を送信する。
【００２６】
この例示的な実施形態では、資源状態更新を停止するための別個のメッセージは不要である。代わりに、マスタ基地局５−１は、資源特徴ＩＥの値が０に設定された、同じ要求メッセージを送信する。スレーブ基地局５−２は、資源状態更新報告を停止させるための要求として、このメッセージを解釈する。スレーブ基地局５−２はこれを直ちに処理すると共に、対応する資源状態更新メッセージにおいて同様の値を０にして肯定応答する。
【００２７】
資源状態要求メッセージが、複数のイベントに対するイベントトリガ型報告を要求する場合には、これらイベントの閾値も指定することができる。例えば、マスタ基地局５−１はスレーブ基地局５−２に、その総物理資源ブロック使用量が９５％を超過し、輻輳状況に近いことを示す度に、マスタ基地局５−１に報告することを要求できる。同様に、スレーブは、ダウンリンク送信電力が特定の閾値を超過する場合には、報告することを求められ得る。
【００２８】
この例示的な実施形態では、マスタ基地局５−１が生成する資源状態要求メッセージは、マスタ基地局５−１が要求する情報を作り出すための測定間隔を指定する「平均化時間」を含むことができる。この値が指定されていない場合、スレーブ基地局５−２はデフォルト値を適用する。
【００２９】
この例示的な実施形態では、マスタ基地局５−１によって生成される資源状態要求メッセージは、マスタ基地局の内部のＲＲＭアルゴリズムに基づく、周期的な報告を指定する報告時間を含むことができる。この値が指定されていない場合、スレーブ基地局５−２はデフォルト値を適用することができる。
【００３０】
当業者が理解するように、各基地局５はいくつかの異なるセルを制御することができ、この実施形態では、マスタ基地局５−１によって生成される資源状態要求メッセージは、マスタ基地局５−１が資源負荷情報を受信することに関心を有すセルのセルＩＤを含むこともできる。この値が指定されていない場合、スレーブ基地局５−２は自身の全てのセルの資源負荷状態を報告する。
【００３１】
資源状態更新メッセージの詳細
この例示的な実施形態において、資源状態更新メッセージは報告の理由を示す報告特徴ＩＥを含む。報告特徴ＩＥ内の２つ〜３つの値を、物理レイヤの資源又は任意の他の種別の処理資源の観点から、ＵＬ方向又はＤＬ方向におけるセルの輻輳状態を示すように予約することができる。輻輳指示を有する資源状態更新メッセージは、スレーブ基地局５−２によって、輻輳が検出される度に、資源状態更新を要求した近傍マスタ基地局５−１に自立的に送信もされることができる。さらに、スレーブ基地局５−２は、輻輳が解消されると、自立的に資源状態更新メッセージを送信する。資源状態更新メッセージは、スレーブ基地局５−２によって、ＵＬ干渉が該スレーブ基地局５−２自身のセル内で特定の閾値を超過する度に、資源状態更新を要求した近傍マスタ基地局５−１に自立的に送信されることもできる。このようにして、既存の手順「負荷情報」を資源状態更新に組み入れる。
【００３２】
資源状態更新メッセージはまた、マスタ基地局５−１によって要求された、関連測定値を含む。
１）マスタ基地局５−１によって指定された平均化時間／報告時間に基づくＵＬ上のリアルタイムトラフィックに関する平均物理資源ブロック使用量
２）マスタ基地局５−１によって指定された平均化時間／報告時間に基づくＵＬ上の非リアルトラフィックに関する平均物理資源ブロック使用量
３）マスタ基地局５−１によって指定された平均化時間／報告時間に基づくＤＬ上のリアルタイムトラフィックに関する平均物理資源ブロック使用量
４）マスタ基地局５−１によって指定された平均化時間／報告時間に基づくＤＬ上の非リアルタイムトラフィックに関する平均物理資源ブロック使用量
【００３３】
上記で述べたように、一般的に、各基地局５はマスタの役割（資源状態情報を依頼する）及びスレーブの役割（資源状態報告を提供する）の両方を有する。しかしながら、基地局５は負荷均衡化アルゴリズムを実施できない場合があり、この場合には、近傍基地局５に資源状態報告を提供するスレーブとしてのみ役割を果たす。近傍基地局５に資源状態報告を提供することは必須とみなされ得る。
【００３４】
代替の例示的な実施形態ではさらに高度な手順があり得る。該手順では、図３ｂ及び図３ｃに示される方法のように、スレーブ基地局５−２が資源状態要求に応答する。図３ｂには成功した開始が示されており、図３ｃには失敗した開始が示されている。開始の失敗は、スレーブ基地局５−２が要求された測定をサポートしていないことを理由とする場合がある。しかしながら、各基地局５が資源状態更新メッセージを他の近傍基地局５に提供することを必須とする場合、そのような応答メッセージ／失敗メッセージは必要とされないことがある。加えて、肯定的停止メッセージ又は終了メッセージも、マスタ基地局５とスレーブ基地局５との間でのシグナリングを終了するために送信される場合がある。
【００３５】
当業者が認識するように、上述のシグナリングを用いて、マスタ基地局５−１によって指定された報告間隔に基づいて負荷報告を実行し得る。それによって、マルチベンダーの状況においてでさえも、受信した資源状態情報をマスタ基地局５−１が効率的に利用することが可能になる。そこでは、実現固有のアルゴリズムが異なる基地局５で実行される。さらに、Ｘ２インターフェース２５を通じた冗長なシグナリングも低減させることができる。
【００３６】
負荷情報手順
現在、３ＧＰＰ標準化文書ＴＳ３６．４２３は、負荷情報手順を規定している。その目的は、干渉調整のために、周波数内（intra-frequency:同一周波数）の近傍基地局５間でのアップリンクインターフェース過負荷指示を転送することである。ＵＬデータを送信するために高電力を使用する、セル端における移動電話３に起因して、基地局５がいくつかの資源ブロック上のＵＬで過度に高い干渉レベルを受けると、過負荷指示が送信される。このメッセージを受信する基地局５は、原則として、干渉の原因となっているＵＬ送信電力を低減するように移動電話３に求めなければならない。
【００３７】
基地局５は、周波数内の近傍基地局５に負荷情報メッセージを送信することによって、手順を開始する。基地局５がいくつかの資源ブロック上で過度に高い干渉レベルを受けた場合、干渉過負荷指示を送信するために負荷情報手順が使用される。
【００３８】
スレーブ基地局５−２によって、ＵＬ干渉が該スレーブ基地局５−２自身のセル内で特定の閾値を超過する度に、資源状態更新を要求した、周波数内セルを有する近傍マスタ基地局５−１に、資源状態更新メッセージを自立的に送信することができる場合、上記で説明した資源状態更新手順を、この負荷情報手順と組合わせることができる。組み合わせられた手順は、資源状態更新又は負荷情報手順のより適切な方で呼ぶことができる。
【００３９】
関連するＳＯＮ機能性
上記方法で基地局５によって取得された負荷情報は、内部ＳＯＮエンティティ（基地局５内部のＲＲＭ機能性を提供する自己組織化ネットワーク）を通じて、基地局５によって制御されるセルのハンドオーバパラメータ及びセル（再）選択パラメータを動的に制御するのに利用されることができる。換言すると、取得された負荷情報は、ネットワークのカバレッジエリア内で移動電話３がローミングするときに、移動電話３に渡すセルを基地局５がどのように選択するのかを制御するのに使用されることができる。これは、図４に示されている。
【００４０】
更新され得るセル再選択パラメータは、以下を含む。
１．周波数間の再選択の優先度
２．レイヤの固有オフセット
（それはセルの順位付けに基づくため、それを周波数内のケースに適用する方法はＦＦＳ（今後の課題）である）
構成され得るハンドオーバパラメータは、以下を含む。
１．ヒステリシス
２．トリガする時間
３．その他
【００４１】
変更形態及び代替形態
詳細な例示的な実施形態が上記で説明されてきた。当業者には理解されるように、該実施形態において具現される本発明から依然として利益を享受しながら、上記の実施形態に対する多数の変更形態及び代替形態を実施できる。
【００４２】
上記の例示的な実施形態において、移動電話を基にする通信システムが説明された。当業者には理解されるように、本出願において説明されるシグナリング及びハンドオーバ技法は他の通信システムにおいて利用できる。他の通信ノード又はデバイスは、たとえば、携帯情報端末、ラップトップコンピュータ、ウエブブラウザ等のようなユーザデバイスを含み得る。
【００４３】
上記の例示的な実施形態では、複数のソフトウエアモジュールが説明された。当業者には理解されるように、それらのソフトウエアモジュールはコンパイルされた形で又はコンパイルされない形で与えられる場合があり、コンピュータネットワーク上の信号として又は記録媒体において、基地局に又は移動電話に供給される場合がある。さらに、このソフトウエアの一部又は全てによって実行される機能は、１つ又は複数の専用のハードウエア回路を用いて実行されてもよい。しかしながら、それらの機能を更新するために、基地局５及び移動電話３を更新することを容易にするので、ソフトウエアモジュールを用いることが好ましい。
【００４４】
当業者には種々の他の変更形態が明らかになり、ここでは、さらに詳しくは説明されない。
【００４５】
３ＧＰＰ用語の用語集
ＬＴＥ  −  （ＵＴＲＡＮの）ロングタームエボリューション
ｅＮｏｄｅＢ  −  Ｅ−ＵＴＲＡＮノードＢ
ＵＥ  −  ユーザ機器  −  移動通信デバイス
ＤＬ  −  ダウンリンク  −  基地局から移動局へのリンク
ＵＬ  −  アップリンク  −  移動局から基地局へのリンク
ＭＭＥ  −  移動管理エンティティ
ＵＰＥ  −  ユーザプレーンエンティティ
ＨＯ  −  ハンドオーバ
ＲＬＣ  −  無線リンク制御
ＲＲＣ  −  無線資源制御
ＲＲＭ  −  無線資源管理
ＳＡＥ  −  システムアーキテクチャエボリューション
Ｃ−ＲＮＴＩ  −  セル無線ネットワーク一時識別子
ＳＩＢ  −  システム情報ブロック
Ｕ−ｐｌａｎｅ  −  ユーザプレーン
Ｘ２  Ｉｎｔｅｒｆａｃｅ  −  ２つのｅＮｏｄｅＢ間のインタフェース
Ｓ１  Ｉｎｔｅｒｆａｃｅ  −  ｅＮｏｄｅＢとＭＭＥとの間のインタフェース
ＴＡ  −  トラッキングエリア
ＥＰＣ  −  発展型パケットコア
ＡＳ  −  アクセス階層
ＲＮＬ  −  無線ネットワークレイヤ
ＴＮＬ  −  トランスポートネットワークレイヤ
ＲＡＣＨ  −  ランダムアクセスチャネル
ＭＵ  ＭＩＭＯ  −  マルチユーザ多入力多出力
ＤＭＲＳ  −  復調参照信号フォーマット
ＭＣＳ  −  変調及び符号化方式
【００４６】
以下は、本発明を現在提案されている３ＧＰＰ  ＬＴＥ標準規格において実施することができる方法の詳細な説明である。種々の特徴が不可欠であるか又は必要であるものとして説明されるが、これは、たとえば、その標準規格によって課せられる他の要件に起因して、提案されている３ＧＰＰ  ＬＴＥ標準規格の場合にのみ当てはまることがある。それゆえ、ここで述べることは、本発明を限定するものとは決して解釈されるべきではない。
【００４７】
序論
ＲＡＮ＃５１Ｂの会議においては、負荷均衡化メカニズムが議論された。参考文献［１］の回答ＬＳはＲＡＮ２及びＲＡＮ３に送られ、ＲＡＮ１での合意の結果が通知された。この提案では、本発明者らは負荷均衡化の達成に関するシグナリングについてのさらなる詳細を提供している。
【００４８】
測定の定義
ＲＡＮ１は、効果的な負荷均衡化をサポートするのに必要とされる物理レイヤの測定値について議論し、アップリンク及びダウンリンクにおける物理資源ブロック使用量の測定値が、このユースケースに関わりがあることに合意した。彼らは、この目的のための以下に列挙する４つの異なる測定値を提案した。
Ｍ１  ＵＬ上のＧＢＲ（リアルタイムトラフィック）に関する物理資源ブロック使用量
Ｍ２  ＵＬ上の非リアルトラフィックに関する物理資源ブロック使用量
Ｍ３  ＤＬ上のＧＢＲ（リアルタイム）トラフィックに関する物理資源ブロック使用量
Ｍ４  ＤＬ上の非リアルタイムトラフィックに関する物理資源ブロック使用量
【００４９】
これら全ての測定は、一定の時間間隔にわたって、同じ方向で利用可能なＰＲＢを通じた或るトラフィック種別に対する、使用されたＰＲＢの割合（百分率）として規定され、セル毎に測定される。いかなる非計画的伝送及び再伝送も、使用されたとしてカウントされる。
【００５０】
さらに、ＲＡＮ１は、数秒〜数分程度、又はビジーな時間のような予期されたトラフィック変動に依存するより低い割合でも、この制御を周期的に行えば十分であると考える。
【００５１】
負荷均衡化メカニズムためのシグナリングの詳細は、まだ規定されていない。次のセクションにおいて、Ｘ２インターフェースを通じて測定量をシグナリングする方法の異なるオプション、並びにハンドオーバパラメータ及び再選択パラメータが再構成され得るパラメータを調査する。
【００５２】
Ｘ２を通じたシグナリング
４．１  全てのｅＮＢが測定された負荷情報を他の近傍ｅＮＢに通知する
これは、各ｅＮＢが、例えば、資源状態更新メッセージを周期的に送信することによって、Ｘ２接続を確立した全ての近傍ｅＮＢに、測定した負荷情報を通知する、最も簡易なシナリオである。代替的には、この情報は専用メッセージ上にピギーバックすることもできる。
【００５３】
異なるベンダーのｅＮＢが、異なる間隔で資源状態更新報告を処理する、異なるアルゴリズムを実行する場合があるため、報告のために１つの固定間隔を使用することによって、結果として報告が過度に高頻度で送信されることになり、ｅＮＢがこれら多くの報告を捨てるだけになる。例えば、負荷均衡化アルゴリズムが５秒毎に動作する場合、資源状態更新報告間隔は、約１秒に固定され、５つの報告のうちの４つが捨てられる場合がある。
【００５４】
４．２  ｅＮＢが近傍ｅＮＢからの負荷情報を選択的に要求する。
ｅＮＢは、それが所望する形式で（実施されるＲＲＭアルゴリズムに基づいて）、近傍ｅＮＢに負荷情報を送信するよう要求できる。例えば、要求側ｅＮＢは、資源状態要求において、１回のみ負荷情報が報告されることを必要とするのか、又は周期的に負荷情報が報告されることを必要とするのか、又は１つ若しくは複数のイベントのうちの任意のものが発生する度に報告されるイベント駆動式で負荷情報が報告されることを必要とするのかを、近傍ｅＮＢに示すことができる。
【００５５】
要求側ｅＮＢがマスタであり、要求側ｅＮＢの所望する形式で情報を要求できる場合、これをマスタスレーブ構成と呼ぶ。
【００５６】
資源状態要求メッセージの詳細
マスタｅＮＢ１は資源状態要求をスレーブｅＮＢ２に送信し、１回、周期的、又はイベント駆動式のいずれかで物理資源ブロック使用量を示すことを該スレーブｅＮＢ２に要求する。
報告特徴ＩＥは報告が１回、周期的、イベント駆動のいずれであるかを示す。イベント駆動の場合、イベントを指定する。報告特徴ＩＥが設定されていない場合、資源状態更新はスレーブｅＮＢによって１回のみ送信される。
資源状態更新を停止するための別個のメッセージを指定する必要はないことに留意すべきである。報告特徴値が０に設定された、同じ要求メッセージが、資源状態更新報告を停止する要求として解釈され、受信機によって直ちに処理され、対応する資源状態更新メッセージにおいて同様の値を０にして肯定応答される。
資源状態要求メッセージにおいて、報告特徴ＩＥによってマスタｅＮＢは、周期的な報告又は複数のイベントに対するイベントトリガ型報告、及びこれらイベントのための閾値を提供する可能性を要求できる。
資源状態要求メッセージにおいて、マスタｅＮＢは、マスタｅＮＢによって要求される情報を作り出すための測定間隔を指定する平均化時間を含めることができる。この値が指定されていない場合、スレーブｅＮＢはデフォルト値を適用する。
資源状態要求メッセージにおいて、マスタｅＮＢは、マスタｅＮＢ内部のＲＲＭアルゴリズムに基づく報告を指定する報告時間を含めることができる。この値が指定されていない場合、スレーブｅＮＢはデフォルト値を適用する。
資源状態要求メッセージにおいて、マスタｅＮＢは資源情報を受信することに関心を有するセルのセルＩＤを含めることができる。この値が指定されていない場合、スレーブｅＮＢは全てのセルの資源状態を報告する。
【００５７】
資源状態更新メッセージの詳細
資源状態更新メッセージはまた、この報告の理由を示すための報告特徴ＩＥを含む。
報告特徴ＩＥに２つ〜３つの値を、物理レイヤの資源又は任意の他の種別の処理資源の観点から、ＵＬ方向又はＤＬ方向におけるセルの輻輳を示すように予約することができる。輻輳指示を有する資源状態更新報告は、スレーブｅＮＢによって輻輳が検出される度に、資源状態更新を要求した近傍マスタｅＮＢに自立的に送信されることもできる。さらに、スレーブｅＮＢは、輻輳が解消されると、資源状態更新報告を自立的に送信する。資源状態更新報告は、スレーブｅＮＢによって、ＵＬ干渉が該スレーブｅＮＢ自身のセル内で特定の閾値を超過する度に、要求した近傍マスタｅＮＢに自立的に送信されることができる。このようにして、既存の手順「負荷情報」を資源状態更新に組み入れる。
マスタｅＮＢによって指定された平均化時間／報告時間に基づくＵＬ上のＧＢＲ（リアルタイムトラフィック）に関する平均物理資源ブロック使用量
マスタｅＮＢによって指定された平均化時間／報告時間に基づくＵＬ上のＧＢＲ（非リアルトラフィック）に関する平均物理資源ブロック使用量
マスタｅＮＢによって指定された平均化時間／報告時間に基づくＤＬ上のＧＢＲ（リアルタイム）トラフィックに関する平均物理資源ブロック使用量
マスタｅＮＢによって指定された平均化時間／報告時間に基づくＤＬ上のＧＢＲ（非リアルタイムトラフィック）に関する平均物理資源ブロック使用量
・・・・
【００５８】
一般的に、各ｅＮＢはマスタの役割（資源状態情報を依頼する）及びスレーブの役割（資源状態報告を提供する）の両方を有することに留意されたい。しかしながら、ｅＮＢは負荷均衡化アルゴリズムを実施できない場合があり、この場合には、近傍ｅＮＢに資源状態報告を提供するスレーブとしてのみ役割を果たす。近傍ｅＮＢに資源状態報告を提供することは必須とみなされ得る。
【００５９】
代替として、ＵＴＭＳにおいて、ｌｕｒインターフェースに対して定義されている一般的な測定手順と同様のさらに高機能な手順もあり得る。この手順には、図７に示されているように、資源状態応答のような、資源状態要求に対する応答がある。ｅＮＢが要求された測定をサポートしていない場合、この手順は、オプション２と比較して、ｅＮＢに資源状態要求を拒否する機会を与える。
【００６０】
図６において提案されているマスタスレーブ構成と比較すると、かかる手順は５つのメッセージを要求する。しかしながら、各ｅＮＢが資源状態更新を他の近傍ｅＮＢに提供することと必須とする場合には、かかる応答メッセージ／失敗メッセージは必要とされないことがある。
【００６１】
マスタｅＮＢが、実現固有のアルゴリズムを効率的に実行可能なマルチベンダーシナリオにおいて、資源状態情報を効率的に利用できるように、かかるオプションは、マスタｅＮＢによって指定される報告周期に基づく負荷情報の報告を可能にする。さらに、Ｘ２を通じた冗長なシグナリングを低減させることができる。
【００６２】
負荷情報手順との関係
現在、負荷情報手順は参考文献［３］において規定されている。負荷指示手順の目的は、干渉調整のために、周波数内の近傍ｅノードＢ間で、アップリンクの干渉過負荷指示を転送することである。
【００６３】
ｅノードＢは、周波数内の近傍ｅノードＢに負荷情報メッセージを送信することによって、手順を開始する。負荷情報メッセージは干渉過負荷指示を運ぶことができる。負荷指示手順は、ｅＮＢがいくつかの資源ブロック上で過度に高い干渉レベルを受けている場合に、干渉過負荷指示を送信するために使用される。
【００６４】
資源状態更新報告が、スレーブ基地局によって、ＵＬ干渉が該スレーブ基地局自身のセル内で特定の閾値を超過する度に、資源状態更新を要求した、周波数内セルを有する近傍マスタ基地局に自立的に送信されることができる場合、提案される資源状態更新手順は、上記の手順を組み入れることができる。それゆえ、簡素化のためにこれらを統合して、共に複数の手順とすることを提案する。統合された手順は、資源状態更新手順又は負荷情報手順のより適切な方で呼ぶことができる。
【００６５】
関連するＳＯＮ機能性
ｅＮＢ内の負荷情報は、内部ＳＯＮエンティティを通じ、ｅＮＢによって制御されているセルのハンドオーバパラメータ及びセル（再）選択パラメータを、動的に制御するのに利用できる。このメカニズムを図９に示す。
【００６６】
更新されるセル再選択パラメータは、以下である。（それはセルの順位付けに基づくため、それを周波数内のケースに適用する方法はＦＦＳである）
１．周波数間の再選択の優先度
２．レイヤの固有オフセット
を含む。
構成され得るハンドオーバパラメータは、以下である。
１．ヒステリシス
２．トリガする時間
３．その他
【００６７】
結論
この投稿において、ｅＮＢ間で資源状態についての情報を交換するための様々なオプションを検討している。マスタ／スレーブ類の構成は、マルチベンダーシナリオにおいて実現固有のＲＲＭアルゴリズムに資源状態報告を提供するのに、大変柔軟性があり、採用されるべきである。Ｘ２ＡＰ仕様に関する参考文献［４］における、提案されたマスタ／スレーブのような報告プション及び関連文章の提案書に合意することを、ＲＡＮ３に要請する。
【００６８】
さらに、関連するＳＯＮ機能性において最適化され得るハンドオーバパラメータとセル再選択パラメータの検討も行い、好ましい場合、いくつかの詳細を、ステージ２ 仕様に取り入れることができる。
【００６９】
参考文献
［１］R1-080601，Reply LS on Load balancing,RAN1
［２］25.423 3GPP Specification for RNSAP
［３］36.423 3GPP Specification for X2AP
［４］R3-08XXX Text procedure for Resource Status Update Procedure
【図１】
2011511486.tif 000003
【図２】
2011511486.tif 000004
【図３ａ】
2011511486.tif 000005
【図３ｂ】
2011511486.tif 000006
【図３ｃ】
2011511486.tif 000007
【図３ｄ】
2011511486.tif 000008
【図４】
2011511486.tif 000009
【図５】
2011511486.tif 000010
【図６】
2011511486.tif 000011
【図７ａ】
2011511486.tif 000012
【図７ｂ】
2011511486.tif 000013
【図７ｃ】
2011511486.tif 000014
【図８】
2011511486.tif 000015
【図９】
2011511486.tif 000016
【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
ＥＵＴＲＡＮ基地局によって実行される方法であって、
資源状態情報の要求を生成し、該要求は前記資源状態情報を含む更新メッセージを送信すべき周期を規定し、
前記生成された要求を近傍ＥＵＴＲＡＮ基地局に送信し、
前記規定の周期に従って、前記要求された資源状態情報に応答して前記近傍ＥＵＴＲＡＮ基地局から１つ又は複数の資源状態更新メッセージを受信し、及び
前記受信した１つ又は複数の資源状態更新メッセージに従って、負荷均衡化オペレーションを実行する、
ことを含む、方法。
【請求項２】
前記要求側基地局と関連する資源に関する負荷分散測定値を取得することを含み、
前記実行するステップは、前記取得した負荷均衡化測定値及び前記受信した１つ又は複数の資源状態更新メッセージに従って、前記負荷均衡化オペレーションを実行する、請求項１に記載の方法。
【請求項３】
前記取得するステップは、測定をすることによって前記測定値を取得する、請求項２に記載の方法。
【請求項４】
前記１つ又は複数の資源状態更新メッセージは、アップリンク上のリアルタイムトラフィック及び／又は非リアルタイムトラフィックに関する物理資源ブロック使用量を指定するデータを含む、請求項１乃至３のいずれか一項に記載の方法。
【請求項５】
前記１つ又は複数の資源状態更新メッセージは、ダウンリンク上のリアルタイムトラフィック及び／又は非リアルタイムトラフィックに関する物理資源ブロック使用量を指定するデータを含む、請求項１乃至３のいずれか一項に記載の方法。
【請求項６】
前記生成された要求は、規定の時間に前記資源状態情報を要求するためのものである、請求項１乃至５のいずれか一項に記載の方法。
【請求項７】
前記近傍基地局がさらなる状態報告を送信するのを停止させるために、さらなる要求を生成すると共に送信することをさらに含む、請求項１乃至５のいずれか一項に記載の方法。
【請求項８】
前記生成された要求は、規定のイベントにおいて前記資源状態情報を要求するためのものである、請求項１乃至５のいずれか一項に記載の方法。
【請求項９】
前記生成された要求は、前記近傍基地局による資源の使用量が規定の閾値を超過すると資源状態報告を送信することを、前記近傍基地局に要求するためのものである、請求項８に記載の方法。
【請求項１０】
前記生成された要求は、アップリンクの干渉レベルが規定の閾値を超過すると資源状態報告を送信することを、前記近傍基地局に要求するためのものである、請求項８に記載の方法。
【請求項１１】
前記生成された要求は、複数の規定のイベントのうちで任意のものにおいて、前記資源状態情報を要求するためのものである、請求項８乃至１０のいずれか一項に記載の方法。
【請求項１２】
前記生成されたメッセージは、前記要求された情報を作り出すための測定間隔を指定する平均化時間を指定するデータを含む、請求項１乃至１１のいずれか一項に記載の方法。
【請求項１３】
前記生成された要求は、前記近傍基地局と関連する前記セルのサブセットを規定し、前記要求された情報が前記セブセット内の前記セルに関するものであり、前記サブセット外の前記セルに関するものではないことを示すデータを含む、請求項１乃至１２のいずれか一項に記載の方法。
【請求項１４】
前記基地局は、前記１つ又は複数の受信した資源状態更新メッセージに従って、別のセル又は基地局への、１つ又は複数の関連する移動通信デバイスのハンドオーバを制御するように動作可能である、請求項１乃至１３のいずれか一項に記載の方法。
【請求項１５】
前記基地局は、前記１つ又は複数の受信した資源状態更新メッセージに従って、ハンドオーバパラメータ及びセル再選択パラメータを動的に制御するように動作可能である、請求項１乃至１４のいずれか一項に記載の方法。
【請求項１６】
前記セル再選択パラメータは、周波数間の再選択の優先度及び／又はレイヤの固有オフセットを含む、請求項１５に記載の方法。
【請求項１７】
前記ハンドオーバパラメータは、ヒステリシス及び／又はトリガする時間を含む、請求項１５又は請求項１６に記載の方法。
【請求項１８】
ＥＵＴＲＡＮ基地局によって実行される方法であって、
近傍ＥＵＴＲＡＮ基地局から資源状態情報の要求を受信し、前記要求は前記資源状態情報を含む更新メッセージを送信すべき周期を規定し、
前記基地局と関連する資源に関する１つ又は複数の負荷均衡化測定値を取得し、
前記１つ又は複数の負荷分散測定値を含む、１つ又は複数の資源状態更新メッセージを生成し、及び
前記規定の周期で、前記生成された１つ又は複数の資源状態更新メッセージを前記近傍ＥＵＴＲＡＮ基地局に送信する、
ことを含む、方法。
【請求項１９】
前記生成するステップは、前記受信した要求において、前記近傍基地局によって規定された要件に従って、前記１つ又は複数の資源状態更新メッセージを生成すると共に送信する、請求項１８に記載の方法。
【請求項２０】
前記取得するステップは、測定をするとによって前記測定値を取得する、請求項１８又は請求項１９に記載の方法。
【請求項２１】
前記生成された１つ又は複数の資源状態更新メッセージは、アップリンク上のリアルタイムトラフィック及び／又は非リアルタイムトラフィックに関する物理資源ブロック使用量を指定するデータを含む、請求項１８乃至２０のいずれか一項に記載の方法。
【請求項２２】
前記生成された１つ又は複数の資源状態更新メッセージは、ダウンリンク上のリアルタイムトラフィック及び／又は非リアルタイムトラフィックに関する物理資源ブロック使用量を指定するデータを含む、請求項１８乃至２０のいずれか一項に記載の方法。
【請求項２３】
前記受信された要求は、前記更新メッセージを送信すべき時刻を規定し、前記送信するステップは、該規定の時間で前記更新メッセージを送信する、請求項１８乃至２２のいずれか一項に記載の方法。
【請求項２４】
同じ基地局から、前記周期的な送信を停止するため、フィールドが規定の値に設定されたさらなる要求を受信し、
前記要求に応答して前記状態更新メッセージの周期的な送信を停止するステップを含む、請求項１８乃至２２のいずれか一項に記載の方法。
【請求項２５】
前記受信された要求は、規定のイベントにおいて前記資源状態情報を要求するためのものである、請求項１８乃至２２のいずれか一項に記載の方法。
【請求項２６】
前記受信された要求は、前記基地局による資源の使用量が規定の閾値を超過すると資源状態報告を送信することを、前記基地局に要求するためのものである、請求項２５に記載の方法。
【請求項２７】
前記受信された要求は、アップリンクの干渉レベルが規定の閾値を超過すると資源状態報告を送信することを、前記基地局に要求するためのものである、請求項２５に記載の方法。
【請求項２８】
前記受信された要求は、複数の規定のイベントのうちで任意のものにおいて前記資源状態情報を要求するためのものである、請求項２５乃至２７のいずれか一項に記載の方法。
【請求項２９】
前記取得するステップは、前記受信された要求によって規定された測定間隔にわたって前記負荷均衡化情報を取得する、請求項１８乃至２８のいずれか一項に記載の方法。
【請求項３０】
前記受信された要求は、前記基地局と関連する前記セルのサブセットを規定するデータを含み、前記方法は前記セブセット内の前記セルに関するものであり、前記サブセット外の前記セルに関するものではない負荷均衡化情報を取得するステップを含む、請求項１８乃至２９のいずれか一項に記載の方法。
【請求項３１】
前記基地局は、前記１つ又は複数の受信した資源状態更新メッセージに従って、別のセル又は基地局への、１つ又は複数の関連する移動通信デバイスのハンドオーバを制御するように動作可能である、請求項１８乃至３０のいずれか一項に記載の方法。
【請求項３２】
前記要求及び応答は、Ｘ２インターフェースを通じて前記近傍基地局の間で通信される、請求項１乃至３１のいずれか一項に記載の方法。
【請求項３３】
ＥＵＴＲＡＮ基地局であって、
資源状態情報の要求を生成する手段であって、該要求は前記資源状態情報を含む更新メッセージを送信すべき周期を規定する、手段と、
前記生成された要求を近傍ＥＵＴＲＡＮ基地局に送信する手段と、
前記規定の周期に従って、前記要求された資源状態情報に応答して前記近傍ＥＵＴＲＡＮ基地局から１つ又は複数の資源状態更新メッセージを受信する手段と、
前記受信した１つ又は複数の資源状態更新メッセージに従って、負荷均衡化オペレーションを実行する手段と、
を備える、ＥＵＴＲＡＮ基地局。
【請求項３４】
ＥＵＴＲＡＮ基地局であって、
資源状態情報の要求を生成するように動作可能である要求生成装置であって、該要求は前記資源状態情報を含む更新メッセージを送信すべき周期を規定する、要求生成装置と、
前記生成された要求を近傍ＥＵＴＲＡＮ基地局に送信するように動作可能であると共に、前記規定の周期に従って、前記要求された資源状態情報に応答して前記近傍ＥＵＴＲＡＮ基地局から１つ又は複数の資源状態更新メッセージを受信するように動作可能であるトランシーバと、
前記受信した１つ又は複数の資源状態更新メッセージに従って、負荷均衡化オペレーションを実行するように動作可能であるコントローラと、
を備える、ＥＵＴＲＡＮ基地局。
【請求項３５】
ＥＵＴＲＡＮ基地局であって、
近傍ＥＵＴＲＡＮ基地局から資源状態情報の要求を受信する手段であって、該要求は前記資源状態情報を含む更新メッセージを送信すべき周期を規定する、手段と、
前記基地局と関連する資源に関する１つ又は複数の負荷均衡化測定値を取得する手段と、
前記１つ又は複数の負荷均衡化測定値を含む、１つ又は複数の資源状態更新メッセージを生成する手段と、
前記規定された周期で、前記生成された１つ又は複数の資源状態更新メッセージを前記近傍ＥＵＴＲＡＮ基地局に送信する手段と、
を備える、ＥＵＴＲＡＮ基地局。
【請求項３６】
ＥＵＴＲＡＮ基地局であって、
近傍ＥＵＴＲＡＮ基地局から資源状態情報の要求を受信するように動作可能であるトランシーバであって、該要求は前記資源状態情報を含む更新メッセージを送信すべき周期を規定する、トランシーバと、
前記基地局と関連する資源に関する１つ又は複数の負荷均衡化測定値を取得するように動作可能であるコントローラと、
前記１つ又は複数の負荷均衡化測定値を含む、１つ又は複数の資源状態更新メッセージを生成するように動作可能である資源状態更新メッセージ生成装置と、
を備え、前記トランシーバは、前記規定の周期で、前記生成された１つ又は複数の資源状態更新メッセージを前記近傍ＥＵＴＲＡＮ基地局に送信するように動作可能である、ＥＵＴＲＡＮ基地局。
【請求項３７】
プログラマブルコンピュータデバイスに請求項１乃至３２のいずれか一項に記載の方法を実行させるためのコンピュータ実施可能命令を含む、コンピュータ実施可能命令製品。
【国際調査報告】
2011511486.tif 000017
2011511486.tif 000018